(57)【要約】【課題】  音声を利用したスケジュール等管理システムおよび方法を提供する。【解決手段】  ユーザは携帯電話（１１０）から第１サーバ（１３０）へ発呼する。第１サーバ（１３０）はユーザの通話内容を録音および保存するとともに、ｍ個に分割する。分割された音声メッセージ（２００）はそれぞれ暗号化され、暗号化済分割データとして複数の社外秘書（１４１〜１４ｎ）に配信される。各社外秘書（１４１〜１４ｎ）は暗号化済分割データを復号化およびテキスト化する。作成されたテキストデータは第２サーバ（１５０）に登録されて、ユーザまたは内部秘書の端末（１６０）に送信されてスケジュール管理に利用される。【選択図】図１
2006309356.tif 000002
【特許請求の範囲】
【請求項１】
音声により入力を行うスケジュール等管理システムであって、
ユーザの移動体端末と、
インターネット等の公衆通信網を介して前記移動体端末と接続し、前記移動体端末からの音声メッセージをｍ個に分割して録音、保存および配信する第１サーバと、
前記第１サーバから取得したｍ個に分割された前記音声メッセージの処理を行うｎ個の社外秘書端末と、
前記ｎ個の社外秘書端末で処理されたデータを結合し、ＬＡＮ等の内部通信網を介してスケジューラへの登録を行うとともに、ユーザ端末および／または社内秘書端末に通知する第２サーバとを備え、
前記ｍおよびｎは整数であることを特徴とするスケジュール等管理システム。
【請求項２】
請求項１に記載のスケジュール等管理システムにおいて、
前記第１サーバは、前記音声メッセージの無音部分を検出し、前記無音部分で前記音声メッセージを分割する手段と、
前記音声メッセージを一定時間毎に分割する手段と、
前記音声メッセージを任意の時間毎に分割する手段とのうちいずれかを備え、前記音声メッセージをｍ個に分割することを特徴とするスケジュール等管理システム。
【請求項３】
音声により入力を行うスケジュール等管理方法であって、
ユーザの移動体端末からの音声メッセージを第１サーバに録音および保存する段階と、
前記第１サーバが録音した前記音声メッセージをｍ個に分割する段階と、
ｍ個に分割された前記音声メッセージをｎ個の社外秘書端末に配信する段階と、
前記ｎ個の前記社外秘書端末が、ｍ個に分割された前記音声メッセージの処理を行う段階と、
第２サーバがｎ個の前記社外秘書端末で処理されたｍ個のデータを結合し、ＬＡＮ等の内部通信網を介してスケジューラへの登録を行うとともに、ユーザ端末および／または社内秘書端末に通知する段階とからなり、
前記ｍおよびｎは整数であることを特徴とするスケジュール等管理方法。
【請求項４】
請求項３に記載のスケジュール等管理方法において、
前記第１サーバは、前記音声メッセージの無音部分を検出し、前記無音部分で前記音声メッセージを分割する方法と、
前記音声メッセージを一定時間毎に分割する方法と、
前記音声メッセージを任意の時間毎に分割する方法とのうちいずれかを用いて、前記音声メッセージをｍ個に分割することを特徴とするスケジュール等管理方法。
【発明の詳細な説明】
【技術分野】
【０００１】
本発明は、音声により入力を行うスケジュール等管理システムおよびスケジュール等管理方法に係り、より詳細には、携帯電話などの移動体端末を利用して、サーバに録音したスケジュール等の音声データを分割し処理した後、各処理済データを結合して登録・保存するスケジュール等管理システムおよびスケジュール等管理方法に関する。
【背景技術】
【０００２】
近年、通信技術や情報機器の発達に伴い、様々なスケジュールの管理方法が可能となっている。中でも、手帳への書込みやＰＤＡ（携帯情報端末）等の機器によるスケジュール管理に比べて操作が簡便であることから、音声認識技術を利用したスケジュール管理に注目が集まっている。
例えば特許文献１には、電話機を用いたスケジュール管理システム及びスケジュール管理方法が記載されている。管理装置は、電話機から電話網を介して伝送された利用者の音声信号を受信して音声認識し、その結果からスケジュール情報を抽出して記憶装置に登録する。また、このスケジュール情報を音声または文書により通知する。
【特許文献１】特開２００２−２６９２１４号公報
【発明の開示】
【発明が解決しようとする課題】
【０００３】
特許文献１に記載の発明においては、管理装置が音声を認識しスケジュール登録を行うので、ユーザは音声を入力するだけでよい。また、ユーザが操作するのは電話機のみであるから、他の機器の細かい入力作業に煩わされることがない。
しかし、機械による音声認識では、ユーザの発話内容を正確に認識しスケジューラに反映することが困難な場合もある。あるいは、機械が認識できるようユーザが気をつけて発話を行わなければならない。
また、特許文献１に記載の発明では、会員番号や暗証番号による認証、または音声による認証を行うことで情報を保護しているが、第三者が利用者になりすまして認証を受けた場合には、スケジュールに関する情報が簡単に他者に知られてしまう。
【課題を解決するための手段】
【０００４】
こうした課題に鑑み本発明が提供するスケジュール等管理システムは、ユーザの移動体端末と、公衆通信網を介して移動体端末と接続し移動体端末からの音声メッセージをｍ個に分割して録音、保存および配信する第１サーバと、第１サーバから取得したｍ個に分割された音声メッセージの処理を行うｎ個の社外秘書端末と、ｎ個の社外秘書端末で処理されたデータを結合しＬＡＮ等の内部通信網を介してスケジューラへの登録を行うとともに、ユーザ端末および／または社内秘書端末に通知する第２サーバとを備える（ｍおよびｎは整数）。
【０００５】
このスケジュール等管理システムにおいて、第１サーバは、音声メッセージの無音部分を検出しこの無音部分で音声メッセージを分割する手段と、音声メッセージを一定時間毎に分割する手段と、音声メッセージを任意の時間毎に分割する手段とのうちいずれかを備え、音声メッセージをｍ個に分割する。
【０００６】
また、本発明が提供するスケジュール等管理方法は、ユーザの移動体端末からの音声メッセージを第１サーバに録音および保存する段階と、第１サーバが録音した音声メッセージをｍ個に分割する段階と、ｍ個に分割された音声メッセージをｎ個の社外秘書端末に配信する段階と、前記ｎ個の社外秘書端末がｍ個に分割された音声メッセージの処理を行う段階と、第２サーバがｎ個の社外秘書端末で処理されたｍ個のデータを結合し、ＬＡＮ等の内部通信網を介してスケジューラへの登録を行うとともに、ユーザ端末および／または社内秘書端末に通知する段階とからなる（ｍおよびｎは整数）。
【０００７】
このスケジュール管理方法において、第１サーバは、音声メッセージの無音部分を検出しこの無音部分で音声メッセージを分割する方法と、音声メッセージを一定時間毎に分割する方法と、音声メッセージを任意の時間毎に分割する方法とのうちいずれかを用いて、音声メッセージをｍ個に分割する。
【発明の効果】
【０００８】
本発明によれば、ユーザは移動体電話を操作するだけでスケジュール管理を行うことができる。また、機械ではなく人間がユーザの発話を聞き取り、処理するので、より正確な処理を実現することができる。
さらに、音声メッセージを分割して処理するので、作業を行う各社外秘書は音声メッセージ全体の内容を把握することはできない。すなわち、社外秘書から情報が漏洩した場合でも、音声メッセージ全体の内容を推測することは容易ではない。各分割データをそれぞれ暗号化することにより、更に安全性を高めることも可能である。
【０００９】
また、１件の音声メッセージにつき複数の秘書が分割して作業にあたるので、秘書一人あたりの作業量が少なくて済む。すなわち、入力作業時間が短縮される。したがって、新たに追加されたスケジュールを短時間のうちにスケジューラに反映させることができる。
【発明を実施するための最良の形態】
【００１０】
以下、図面を参照して本発明の実施例を説明する。図１には本発明によるスケジュール等管理システムの概略ブロック図を、図３（ａ）、（ｂ）、（ｃ）には本発明によるスケジュール等管理方法の実施例のフロー図を示す。
【００１１】
図１のスケジュール等管理システム（１）において、新しいスケジュールを登録したいとき、ユーザは携帯電話（１１０）からインターネットなどの公衆通信網（１２０）を介して第１サーバ（１３０）へ発呼を行う（Ｓ００１）。このとき、ユーザは携帯電話（１１０）のキーを用いて暗証番号を入力する（Ｓ００２）。第１サーバ（１３０）は、この暗証番号により認証を行う（Ｓ００３）。ここで、認証が正しく行われた場合には、段階Ｓ００４に進む。一方、認証に失敗すると、段階Ｓ００２に戻り、ユーザは再度暗証番号を入力する。
【００１２】
第１サーバ（１３０）では、ユーザの発話（以下、音声メッセージという）を録音する（Ｓ００４）。第１サーバ（１３０）はユーザ情報データベース（図示しない）を備えており、携帯電話（１１０）の発信番号からユーザを割り出すとともに、音声メッセージを保存する（Ｓ００５）。
続いて、第１サーバ（１３０）は保存した音声メッセージ（２００）の分割処理を行う。データを分割する方法は様々であるが、本実施例においては、音声メッセージ中の単語と単語との間の切れ目などに存在する無音部分を検出して分割する（Ｓ００６）。分割された音声メッセージは、第１サーバ（１３０）に保存される（Ｓ００７）。
【００１３】
図２は、ユーザが録音した音声メッセージ（２００）の長さが４８秒の場合の経過時間と音量レベルの変化とを示している。同図においては、メッセージの録音開始から１２秒後、１８秒後、２４秒後、３０秒後、３６秒後の各時点において、音量レベルが０または０に近い値を示す部分、すなわち無音部分が検出されている。
【００１４】
第１サーバ（１３０）は、無音部分の検出時点で音声メッセージ（２００）を分割する。分割された音声メッセージ（２００）は、第１分割データ（２１１）〜第６分割データ（２１６）として、それぞれ異なる暗号鍵により暗号化される（Ｓ００８）。このとき、暗号化された第１〜第６分割データを復号化するための復号鍵も生成される。暗号化済第１〜６分割データと、各分割データ用の第１〜６復号鍵とは、第１サーバ（１３０）の社外秘書データベース（図示しない）に保存される（Ｓ００９）。
【００１５】
ここまでの処理において何らかのエラーが発生した場合には（Ｓ０１１においてＮｏ）、一時的に通常の動作フローを中断し（Ｓ０１２）、エラーの内容に応じて音声メッセージの分割処理段階（Ｓ００６）または分割データの暗号化処理段階（Ｓ００８）まで戻り、再度分割処理または暗号化を行う。エラーが検出されなければ（Ｓ０１１においてＹｅｓ）、段階Ｓ０１３へ進む。
【００１６】
本実施例においては音声データを６つの分割データ（２１１〜２１６）に分割し、６人の社外秘書が作業を行うが、分割データの数と作業を担当する社外秘書の数とは必ずしも同一でなくてもよい。社外秘書の人数を十分に確保できない場合には、音声メッセージを秘書の人数より多い数に分割し、各社外秘書が非連続の複数の分割データを担当することもできる。
【００１７】
第１サーバ（１３０）は、新しく処理すべき分割データ（２１１〜２１６）が社外秘書データベースに保存されていることを６人の社外秘書、すなわち第１〜６社外秘書の端末（１４１〜１４６）に通知する（Ｓ０１３）。通知は電子メール等を利用して行う。
【００１８】
各社外秘書は、第１サーバ（１３０）から通知メールを受信すると、自身の端末よりログインして、社外秘書データベースにアクセスする（Ｓ０１４）。このとき、第１サーバでは各社外秘書のログインを確認する（Ｓ０１５）。ここで、いずれかの社外秘書がログインを行わない場合には（Ｓ０１６）、段階Ｓ０１０に戻って再度通知を行う。また、通知した社外秘書全員のログインが確認されると、段階Ｓ１０４に進む。
【００１９】
ログインした各社外秘書は、割当てられた暗号化済分割データを自身の端末にダウンロードする（Ｓ０１７）。例えば、第１社外秘書は第１社外秘書端末（１４１）からログインし、暗号化済第１分割データをダウンロードする。ここで、第１復号鍵が示されるので、この復号鍵により端末（１４１）において暗号化済第１分割データを復号化する（Ｓ０１８）。
【００２０】
第１社外秘書（１４１）は、復号化して得られた第１分割データ（２１１）をテキスト変換し、テキストデータを作成する（Ｓ０１９）。前述したように、第１分割データ（２１１）は、もとの音声メッセージ（２００）の録音開始から１２秒後までに相当する。第１外部秘書（１４１）はこの部分のメッセージのみを取得するので、メッセージ（２００）全体の内容については知ることができない。
【００２１】
第１外部秘書（１４１）と同様、第２外部秘書（１４２）、第３外部秘書（１４３）、第４外部秘書（１４４）、第５外部秘書（１４５）、および第６外部秘書（１４６）は、それぞれ暗号化済第２〜第６分割データをダウンロードし、第２〜第６復号鍵により復号化して、音声メッセージ（２００）の一部を得る。各外部秘書（１４２〜１４６）はこれをもとに第２〜第６テキストデータを作成する。
各外部秘書（１４２〜１４６）が取得できるのは自身が担当する部分のメッセージのみであるため、メッセージ（２００）全体の内容については知ることができない。
【００２２】
第１〜第６外部秘書（１４１〜１４６）は、第１〜第６テキストデータを作成すると、第２サーバ（１５０）のデータベースにこのテキストデータの登録を行う（Ｓ０２０）。すると、第２サーバ（１５０）が登録された第１〜第６テキストデータを結合し、もとの音声メッセージ（２００）に対応する結合テキストデータを作成する（Ｓ０２１）。
【００２３】
このとき、どの社外秘書が作成したテキストデータであるのかをもとに、第１〜第６テキストデータを正しい順序で結合する。第２サーバ（１５０）は、結合後のテキストデータ（２３０）をユーザのスケジューラに登録するとともに、ユーザ端末および／または社内秘書端末（１６０）に電子メール等を送信して通知する（Ｓ０２２）。
【００２４】
第２サーバ（１５０）とユーザのスケジューラおよび第２サーバ（１５０）とユーザや社内秘書の端末（１６０）との間の通信は、安全を考慮して、ＬＡＮなどの内部通信網を介して行われる。インターネットなどの公衆通信網は使用しない。結合後のテキストデータは、第２サーバ（１５０）によりもとの音声メッセージと比較され、整合していることを確認してもよい。
【００２５】
本実施例においては、本発明のスケジュール等管理システムおよび方法をユーザのスケジュール管理に利用したが、本発明はスケジュールに限らず様々な事項について利用することが可能である。例えば、営業や警備の報告を電話で行い、これをテキスト化して定型フォーマットに登録するレポートサービスなどにも利用することができる。
なお、本発明の別の実施例においては、分割の方法は無音部分の検出によらなくてもよい。例えば、一定時間毎に分割したり、任意の時間毎に分割したりすることも可能である。
【図面の簡単な説明】
【００２６】
【図１】本発明によるスケジュール等管理システムの概略ブロック図。
【図２】本発明の実施例を説明する図。
【図３】（ａ）、（ｂ）、（ｃ）は本発明の実施例を説明するフロー図。
【符号の説明】
【００２７】
１  スケジュール等管理システム
１１０  ユーザの移動体端末
１２０  公衆通信網
１３０  第１サーバ
１４１  第１社外秘書端末
１５０  第２サーバ
１６０  ユーザ端末
【図１】
2006309356.tif 000003
【図２】
2006309356.tif 000004
【図３】
2006309356.tif 000005